(57)【特許請求の範囲】
【請求項１】
衣類を収納可能であって、かつ人の出入りが可能なウォークインクローゼットと、
前記ウォークインクローゼットに隣接して設けられた隣接空間と、
を備える建物であって、
前記隣接空間は、外壁により屋外と仕切られており、
前記外壁には、前記隣接空間への採光が可能な屋外窓部が設けられており、
前記隣接空間は、間仕切壁により前記ウォークインクローゼットと仕切られており、
前記間仕切壁には、前記屋外窓部を通じて前記隣接空間に取り込まれた光を前記ウォークインクローゼットに取り込み可能な屋内窓部が設けられており、
前記屋内窓部の下端部は前記屋外窓部の上端部よりも高い位置にあることを特徴とする建物。
【請求項２】
前記ウォークインクローゼットは、その周囲が前記間仕切壁を含む周囲壁により囲まれており、
前記周囲壁のうち前記屋内窓部と前記ウォークインクローゼットを挟んで対向する壁部は窓対向壁部であり、
前記窓対向壁部の壁際には、前記衣類を収納可能な収納部が設けられており、
前記屋内窓部は、その下端部が前記収納部よりも高い位置にあることを特徴とする請求項１に記載の建物。
【請求項３】
前記間仕切壁は、前記屋外窓部が設けられた前記外壁と前記隣接空間を挟んで対向する対向壁部を有し、
その対向壁部に前記屋内窓部が設けられていることを特徴とする請求項１又は２に記載の建物。
【請求項４】
前記ウォークインクローゼットは、その一部が前記外壁側に張り出した張出空間部となっており、
前記張出空間部を区画しかつ前記外壁と対向する壁部が、前記屋内窓部の設けられた前記対向壁部となっていることを特徴とする請求項３に記載の建物。
【請求項５】
前記隣接空間は、その一部が前記外壁と前記対向壁部との間に袋状に張り出した袋状空間部となっており、
前記袋状空間部には前記屋外窓部を通じて光が取り込まれ、その取り込まれた光が前記屋内窓部を通じて前記ウォークインクローゼットに取り込まれるようになっていることを特徴とする請求項３又は４に記載の建物。
【請求項６】
浴室と、
前記浴室に隣接して設けられ、洗濯機が設置された洗面室と、を備え、
前記洗面室は、前記ウォークインクローゼットにも隣接して設けられており、
前記洗面室から前記ウォークインクローゼットに出入りするための第１出入口を有することを特徴とする請求項１乃至５のいずれか一項に記載の建物。
【請求項７】
前記洗面室に隣接して設けられ、前記洗濯機で洗濯した洗濯物を干すための物干しスペースを備え、
前記洗面室から前記物干しスペースへ出入りするための第２出入口を有することを特徴とする請求項６に記載の建物。
【請求項８】
前記ウォークインクローゼットの床面は軟質床材により形成されていることを特徴とする請求項７に記載の建物。
【発明の詳細な説明】
【技術分野】
【０００１】
本発明は、建物に関する。
【背景技術】
【０００２】
近年、住宅等の建物には、衣類を収納可能なクローゼットとして、人の出入りが可能なウォークインクローゼットが設けられている場合がある（例えば特許文献１参照）。
【先行技術文献】
【特許文献】
【０００３】
【特許文献１】特開２０１０−１１２１１９号公報
【発明の概要】
【発明が解決しようとする課題】
【０００４】
ところで、ウォークインクローゼットが外壁を隔てて屋外と隣接している場合には、外壁に採光窓を設けることで、その採光窓を通じてウォークインクローゼットに日光（自然光）を取り込むことが考えられる。この場合、ウォークインクローゼット内を自然光により明るく照らすことが可能となる。
【０００５】
しかしながら、ウォークインクローゼットに上記のような採光窓を設けると、収納された衣類に直射日光が当たる等して衣類が日焼け（変色）してしまうおそれがある。
【０００６】
本発明は、上記事情に鑑みてなされたものであり、ウォークインクローゼットに自然光を取り込むようにした構成において、衣類が日焼けするのを抑制することができる建物を提供することを主たる目的とするものである。
【課題を解決するための手段】
【０００７】
上記課題を解決すべく、第１の発明の建物は、衣類を収納可能であって、かつ人の出入りが可能なウォークインクローゼットと、前記ウォークインクローゼットに隣接して設けられた隣接空間と、を備える建物であって、前記隣接空間は、外壁により屋外と仕切られており、前記外壁には、前記隣接空間への採光が可能な屋外窓部が設けられており、前記隣接空間は、間仕切壁により前記ウォークインクローゼットと仕切られており、前記間仕切壁には、前記屋外窓部を通じて前記隣接空間に取り込まれた光を前記ウォークインクローゼットに取り込み可能な屋内窓部が設けられていることを特徴とする。
【０００８】
本発明によれば、屋外窓部を通じて隣接空間に屋外から自然光（日光）が取り込まれると、その取り込まれた自然光が屋内窓部を通じて隣接空間からウォークインクローゼットに取り込まれる。この場合、屋外からの自然光が屋外窓部及び屋内窓部の双方を介してウォークインクローゼットに取り込まれるため、屋外からの自然光が直接ウォークインクローゼットに取り込まれる場合と比べて、収納された衣類が日焼けするのを抑制することができる。
【０００９】
第２の発明の建物は、第１の発明において、前記屋内窓部は、前記間仕切壁において天井付近の高さ位置に設けられていることを特徴とする。
【００１０】
通常、自然光（日光）は屋外窓部を通じて隣接空間に斜めに射し込む。その点本発明では、屋内窓部が天井付近に設けられているため、屋外窓部を通じて隣接空間に射し込む日光が屋内窓部を通じて直接ウォークインクローゼットに入り込みにくくなっている。そのため、衣類が日焼けするのをより確実に抑制することができる。
【００１１】
第３の発明の建物は、第２の発明において、前記ウォークインクローゼットは、その周囲が前記間仕切壁を含む周囲壁により囲まれており、前記周囲壁のうち前記屋内窓部と前記ウォークインクローゼットを挟んで対向する壁部は窓対向壁部であり、前記窓対向壁部の壁際には、前記衣類を収納可能な収納部が設けられており、前記屋内窓部は、その下端部が前記収納部よりも高い位置にあることを特徴とする。
【００１２】
上述したように屋内窓部が天井付近の高さ位置に設けられた構成であっても、西日等平行に近い角度で自然光が射し込む場合には、自然光が屋外窓部及び屋内窓部を介して直接（直射日光として）ウォークインクローゼットに入り込む可能性がある。そこで本発明では、この点にも配慮し、屋内窓部の下端部を、その屋内窓部と対向する窓対向壁部の壁際に設けられた衣類の収納部よりも高い位置に設定している。この場合、仮に自然光が平行に近い角度でウォークインクローゼットに直接射し込んだとしても、その直射日光が収納部に収納された衣類に当たるのを回避することができるため、衣類が日焼けするのをより一層確実に抑制することができる。
【００１３】
また、ウォークインクローゼットに屋内窓部が設けられる構成では、収納部と屋内窓部との干渉を避けるために、収納部が窓対向壁部の壁際に設けられることが考えられる。このため、その点を鑑みても、かかる構成は衣類の日焼けを抑制する上で有効となる。
【００１４】
第４の発明の建物は、第１乃至第３のいずれかの発明において、前記屋内窓部の下端部は前記屋外窓部の上端部よりも高い位置にあることを特徴とする。
【００１５】
本発明によれば、屋内窓部の下端部が屋外窓部の上端部よりも高い位置に設けられているため、上記第２の発明と同様、屋外窓部及び屋内窓部を通じて日光が直接ウォークインクローゼットに入り込みにくい。そのため、衣類の日焼けをより確実に抑制することができる。
【００１６】
第５の発明の建物は、第１乃至第４のいずれかの発明において、前記間仕切壁は、前記屋外窓部が設けられた前記外壁と前記隣接空間を挟んで対向する対向壁部を有し、その対向壁部に前記屋内窓部が設けられていることを特徴とする。
【００１７】
本発明によれば、自然光を屋外窓部及び屋内窓部の双方を介してウォークインクローゼットに取り込む構成にあって、自然光の取り込み量を確保し易く、ウォークインクローゼットにおいて自然光による明るさを確保し易い。
【００１８】
第６の発明の建物は、第５の発明において、前記ウォークインクローゼットは、その一部が前記外壁側に張り出した張出空間部となっており、前記張出空間部を区画しかつ前記外壁と対向する壁部が、前記屋内窓部の設けられた前記対向壁部となっていることを特徴とする。
【００１９】
本発明によれば、屋内窓部を通じてウォークインクローゼットに自然光が取り込まれる際に、その光が幅狭の張出空間部を経由して取り込まれることになる。この場合、張出空間部の両側の壁面で光が反射しながら取り込まれることになるため、その反射光によりウォークインクローゼットを明るくする効果を得られる。
【００２０】
第７の発明の建物は、第５又は第６の発明において、前記隣接空間は、その一部が前記外壁と前記対向壁部との間に袋状に張り出した袋状空間部となっており、前記袋状空間部には前記屋外窓部を通じて光が取り込まれ、その取り込まれた光が前記屋内窓部を通じて前記ウォークインクローゼットに取り込まれるようになっていることを特徴とする。
【００２１】
本発明によれば、隣接空間の一部が外壁と対向壁部との間に張り出した袋状空間部となっており、その袋状空間部に屋外窓部を通じて自然光が取り込まれる。袋状空間部では、その取り込まれた自然光が周囲の壁に反射することで明るい空間をつくりだすことができる。そして、かかる袋状空間部から屋内窓部を通じてウォークインクローゼットに自然光が取り込まれるため、ウォークインクローゼットを自然光により明るくすることが可能となる。
【００２２】
第８の発明の建物は、第１乃至第７のいずれかの発明において、浴室と、前記浴室に隣接して設けられ、洗濯機が設置された洗面室と、を備え、前記洗面室は、前記ウォークインクローゼットにも隣接して設けられており、前記洗面室から前記ウォークインクローゼットに出入りするための第１出入口を有することを特徴とする。
【００２３】
本発明によれば、洗面室が浴室に隣接しているとともにウォークインクローゼットにも隣接しており、洗面室からウォークインクローゼットへは第１出入口を介して出入りできる。この場合、例えば浴室で体を洗った後、洗面室で体を拭き、それからウォークインクローゼットに入って衣服を取り出し着ることができる。これにより、ウォークインクローゼットを衣服を着用するための着用スペースとして利用できるため、ウォークインクローゼットの有効利用を図ることができる。
【００２４】
第９の発明の建物は、第８の発明において、前記洗面室に隣接して設けられ、前記洗濯機で洗濯した洗濯物を干すための物干しスペースを備え、前記洗面室から前記物干しスペースへ出入りするための第２出入口を有することを特徴とする。
【００２５】
本発明によれば、洗面室がさらに洗濯物を干すための物干しスペースに隣接しているため、洗濯機で洗濯した洗濯物を取り出してその物干しスペースで干すことができる。また、洗濯物が乾いた後は、その洗濯物を物干しスペースから洗面室を経由してウォークインクローゼットに取り込むことができる。そのため、洗濯物をウォークインクローゼットでたたんで、その後収納部に速やかに収納することができる。これにより、洗濯物を洗濯して干し収納するといった一連の作業を速やかに行うことができる。また、上述したように、ウォークインクローゼットには屋内窓部を通じて自然光が取り込まれるため、自然光による明るさの下で快適に洗濯物をたたむことができる。
【００２６】
第１０の発明の建物は、第９の発明において、前記ウォークインクローゼットの床面は軟質床材により形成されていることを特徴とする。
【００２７】
本発明によれば、ウォークインクローゼットの床面が軟質床材により形成されているため、床面に座って（床座して）衣類をたたんだりする作業を快適に行うことができる。なお、軟質床材としては、クッション床材や畳、カーペット、絨毯等が挙げられる。
【図面の簡単な説明】
【００２８】
【図１】一階部分の間取りを示す平面図。
【図２】二階部分の間取りを示す平面図。
【図３】ウォークインクローゼット周辺を拡大して示す平面図。
【図４】ウォークインクローゼット及びその周辺の構成を示す縦断面図。
【図５】（ａ）がウォークインクローゼットの第１収納領域を示す正面図であり、（ｂ）が第２収納領域を示す正面図である。
【発明を実施するための形態】
【００２９】
以下に、本発明を具体化した一実施の形態について図面を参照しつつ説明する。本実施形態では、建物として、一階部分と二階部分とを有する二階建ての建物について具体化している。図１は建物の一階部分の間取りを示す平面図であり、図２は二階部分の間取りを示す平面図である。なお、図２では便宜上、建物の大きさを図１よりも拡大して示している。
【００３０】
図１及び図２に示すように、建物１０は、平面視において、その間口寸法（幅寸法）が奥行き寸法よりも長い長方形状をなしている。本実施形態では、建物１０が、その間口方向（幅方向）を東西方向に向けて設けられている。
【００３１】
図１に示すように、建物１０の一階部分１１には、屋内空間として、玄関１３と、ＬＤＫ１４と、和室１５と、トイレ１６とが設けられている。ＬＤＫ１４は、リビング１４ａ、ダイニング１４ｂ及びキッチン１４ｃが連続する連続空間として形成されている。また、一階部分１１には、これら屋内空間１３〜１６の他に、テラス１８が設けられている。
【００３２】
図２に示すように、建物１０の二階部分１２には、屋内空間として、洋室２１，２２と、寝室２３と、洗面室２４と、浴室２５と、トイレ２６と、納戸２７と、ウォークインクローゼット２８と、廊下２９とが設けられている。また、二階部分１２には、これら屋内空間２１〜２９の他に、バルコニー３１が設けられている。
【００３３】
洋室２１，２２は、二階部分１２の西側において南北に隣接して設けられている。洋室２１，２２は、いずれも子供部屋として用いられており、連通部３４を介して連通する続き間となっている。
【００３４】
寝室２３は、各洋室２１，２２のうち南側の洋室２２に隣接して設けられている。寝室２３は、洋室２２の東側に隣接している。洋室２２と寝室２３とはいずれも南向きの部屋となっており、（南側の）外壁３６によって屋外と仕切られている。なお、寝室２３が隣接空間に相当する。
【００３５】
外壁３６には、寝室２３と屋外とを連通する窓部３７が形成されている。窓部３７には、当該窓部３７を開閉するガラス戸３８が設けられている。窓部３７は、その上下寸法（上下幅）が寝室２３の天井高さ（床面から天井面までの高さ寸法）の半分程度となっており、その上端部が寝室２３の天井面よりも低い位置に設定されている（図４参照）。なお、窓部３７が屋外窓部に相当する。
【００３６】
寝室２３の東側にはウォークインクローゼット２８が隣接して設けられている。ウォークインクローゼット２８は、寝室２３を挟んで洋室２２とは反対側に設けられている。この場合、ウォークインクローゼット２８は、外壁３６の幅方向において寝室２３と隣接している。
【００３７】
ウォークインクローゼット２８は、間仕切壁４１により寝室２３と仕切られている。間仕切壁４１には、寝室２３からウォークインクローゼット２８へ出入りするための出入口４２が設けられている。出入口４２には、折り戸からなる開閉扉４３が設けられており、この開閉扉４３により出入口４２が開閉される。なお、出入口４２が第３出入口に相当する。
【００３８】
ウォークインクローゼット２８の東側には洗面室２４が隣接して設けられている。洗面室２４は、ウォークインクローゼット２８を挟んで寝室２３とは反対側に設けられている。洗面室２４には、洗濯機４５と洗面台４６とが横並びで設けられている。
【００３９】
洗面室２４は間仕切壁４７によりウォークインクローゼット２８と仕切られている。間仕切壁４７には、洗面室２４からウォークインクローゼット２８へ出入りするための出入口４８が設けられている。出入口４８には、折り戸からなる開閉扉４９が設けられており、この開閉扉４９により出入口４８が開閉される。なお、出入口４８が第１出入口に相当する。
【００４０】
上記のように、ウォークインクローゼット２８へは、寝室２３側からの出入口４２と、洗面室２４側からの出入口４８とのいずれかを介して出入りができるようになっている。これらの出入口４２，４８はウォークインクローゼット２８を挟んで互いに対向している。この場合、これら両出入口４２，４８を介して洗面室２４から寝室２３へウォークインクローゼット２８を経由して一直線に行き来することが可能となっている。したがって、本ウォークインクローゼット２８は、いわゆるウォークスルー型のウォークインクローゼットとなっている。
【００４１】
洗面室２４の北側には、浴室２５が隣接して設けられている。浴室２５は洗面室２４と間仕切壁５１により仕切られている。間仕切壁５１には洗面室２４から浴室２５へ出入りするための出入口５２が設けられており、出入口５２には折り戸からなる開閉扉５３が設けられている。なお、洗面室２４及び浴室２５が水廻り空間に相当する。
【００４２】
洗面室２４の南側には、バルコニー３１が隣接して設けられている。バルコニー３１は、洗面室２４を挟んで浴室２５とは反対側に設けられている。バルコニー３１は仕切壁５５により洗面室２４と仕切られている。仕切壁５５には洗面室２４からバルコニー３１へ出入りするための出入口５６が設けられている。出入口５６はいわゆる掃き出し窓となっており、その出入口５６には引き戸からなる開閉扉５７が設けられている。なお、出入口５６が第２出入口に相当する。また、バルコニー３１は、寝室２３の東側に隣接しており、寝室２３に対して仕切壁５８により仕切られている。
【００４３】
バルコニー３１は、洗濯機４５で洗濯した洗濯物を干すための物干しスペースとなっている。バルコニー３１には、洗濯物をかけるための物干し竿５９が設けられている。また、バルコニー３１は、一階部分１１のＬＤＫ１４上方に形成されたいわゆるルーフバルコニーとなっている。
【００４４】
浴室２５と洗面室２４とバルコニー３１とはいずれも二階部分１２の東側に設けられており、一方向（つまり南北方向）に並んで配置されている。また、洗面室２４とウォークインクローゼット２８と寝室２３とは上記一方向と直交する方向（つまり東西方向）に並んで配置されている。この場合、洗面室２４は、浴室２５とバルコニー３１とウォークインクローゼット２８とにそれぞれ隣接している。そのため、洗面室２４を経由してこれら各空間２５，２８，３１へそれぞれ行き来することが可能となっている。
【００４５】
このような間取りによれば、洗濯の際、洗面室２４の洗濯機４５で洗濯した洗濯物を隣接するバルコニー３１で干すことができる。また、洗濯物が乾いた後は、その洗濯物をバルコニー３１から洗面室２４を経由してウォークインクローゼット２８に取り込むことができる。そのため、洗濯物をウォークインクローゼット２８でたたんで、その後速やかに収納することができる。これにより、洗濯物を洗濯して干し収納するといった一連の作業を速やかに行うことができる。
【００４６】
また、浴室２５で体を洗った後は、洗面室２４で体を拭き、それからウォークインクローゼット２８に入って衣類を取り出し着ることができる。この場合、ウォークインクローゼット２８を衣服を着用する着用スペースとして利用することができる。このように上記の間取りによれば、ウォークインクローゼット２８の有効利用を図ることができる。
【００４７】
寝室２３及びウォークインクローゼット２８の北側には廊下２９が隣接して設けられている。廊下２９は、各洋室２１，２２から洗面室２４へと通じており、寝室２３とウォークインクローゼット２８とが並ぶ並び方向（東西方向）に沿って延びている。また、廊下２９は、トイレ２６や納戸２７にも通じており、さらには一階部分１１へ延びる階段６１にも通じている。
【００４８】
廊下２９は、間仕切壁６３により寝室２３と仕切られている。間仕切壁６３には廊下２９から寝室２３へ出入りするための出入口６４が設けられており、その出入口６４には開き戸からなる開閉扉６５が設けられている。また、廊下２９は、上記間仕切壁６３と連続する間仕切壁６７によりウォークインクローゼット２８と仕切られている。なお、間仕切壁６７が窓対向壁部に相当する。
【００４９】
廊下２９は、間仕切壁７１により洗面室２４と仕切られている。間仕切壁７１には廊下２９から洗面室２４へ出入りするための出入口７２が設けられており、その出入口７２には引き戸からなる開閉扉７３が設けられている。
【００５０】
続いて、ウォークインクローゼット２８周辺の構成について図３を用いながら詳しく説明する。図３は、ウォークインクローゼット２８周辺を拡大して示す平面図である。
【００５１】
図３に示すように、ウォークインクローゼット２８は、外壁３６に対して北側に離間した位置で、その一部が寝室２３側に入り込むようにして設けられている。この場合、ウォークインクローゼット２８と外壁３６との間には寝室２３の一部が袋状に入り込んでおり（張り出しており）、その入り込んだ部分が袋状空間部２３ａとなっている。
【００５２】
ウォークインクローゼット２８は、その一部が外壁３６の幅方向（以下、外壁幅方向Ｘともいう）において袋状空間部２３ａ（寝室２３）よりも寝室２３側とは反対側（東側）に延出している。この延出した部分は延出空間部２８ａとなっており、この延出空間部２８ａが間仕切壁４７を隔てて洗面室２４と隣接している。また、延出空間部２８ａはバルコニー３１の北側に隣接しており、仕切壁５５と連続する仕切壁６９によりバルコニー３１と仕切られている。なお、本実施形態では、外壁幅方向Ｘが東西方向となっている。
【００５３】
ウォークインクローゼット２８において上記延出空間部２８ａ以外の部分は寝室２３に隣接する隣接空間部２８ｂとなっている。隣接空間部２８ｂは、その一部が延出空間部２８ａよりも外壁３６側に張り出しており、その張り出し部分が張出空間部７５となっている。この場合、隣接空間部２８ｂ（張出空間部７５）と袋状空間部２３ａとが外壁３６と直交する方向（以下、外壁直交方向Ｙという）に並んで配置されている。また、張出空間部７５（ひいては隣接空間部２８ｂ）は、その幅（外壁幅方向Ｘの長さ）がウォークインクローゼット２８の幅（外壁幅方向Ｘの長さ）の略半分となっている。なお、本実施形態では、外壁直交方向Ｙが南北方向となっている。
【００５４】
隣接空間部２８ｂは、上述した間仕切壁４１によりウォークインクローゼット２８と仕切られている。間仕切壁４１は、張出空間部７５と袋状空間部２３ａとを仕切る第１壁部４１ａと、第１壁部４１ａと間仕切壁６７とに跨がって設けられた第２壁部４１ｂとを有している。これら第１壁部４１ａと第２壁部４１ｂとは平面視においてＬ字状をなすようにして配置されている。また、これら各壁部４１ａ，４１ｂのうち、第２壁部４１ｂに出入口４２が設けられている。また、第１壁部４１ａは袋状空間部２３ａを挟んで外壁３６と対向しており、対向壁部に相当する。
【００５５】
第２壁部４１ｂは張出空間部７５を挟んで上述した仕切壁５８と対向している。仕切壁５８は、仕切壁６９と外壁３６とに跨がって延びており、その途中で第１壁部４１ａと繋がっている。この場合、第１壁部４１ａは、第２壁部４１ｂと仕切壁５８とに跨がって設けられている。
【００５６】
仕切壁５８は、第１壁部４１ａに対して外壁３６側に位置する壁部５８ａと、第１壁部４１ａに対して外壁３６側とは反対側に位置する壁部５８ｂとを有している。これら各壁部５８ａ，５８ｂのうち壁部５８ｂが張出空間部７５を挟んで第２壁部４１ｂと対向している。この場合、第２壁部４１ｂと第１壁部４１ａと壁部５８ｂにより３方が囲まれて張出空間部７５が形成されている。また、壁部５８ｂにより、ウォークインクローゼット２８とバルコニー３１とが仕切られている。
【００５７】
なお、間仕切壁４１，４７，６７と壁部５８ｂと仕切壁６９とによりウォークインクローゼット２８の周囲を囲む「周囲壁」が構成されている。
【００５８】
壁部５８ａは、第１壁部４１ａと外壁３６とに跨がって延びている。この場合、第１壁部４１ａと壁部５８ｂと外壁３６とにより３方が囲まれて袋状空間部２３ａが形成されている。袋状空間部２３ａにはこれらの壁３６，４１ａ，５８ｂに取り付けられた壁付けのテーブル７７が設けられている。テーブル７７は、寝室２３（袋状空間部２３ａ）に床座した状態で使用可能な高さ位置に配置されている。なお、壁部５８ａにより袋状空間部２３ａとバルコニー３１とが仕切られている。
【００５９】
続いて、ウォークインクローゼット２８の内部構成について図３に加えて図４及び図５を用いながら説明する。図４は、ウォークインクローゼット２８及びその周辺の構成を示す縦断面図である。図５は（ａ）がウォークインクローゼット２８の第１収納領域を示す正面図であり、（ｂ）が第２収納領域を示す正面図である。なお、図４は図３のＡ−Ａ線断面図に相当する。
【００６０】
図３及び図４に示すように、ウォークインクローゼット２８には、衣類を収納するための収納領域８１，８２と、人（居住者）が移動するための移動領域８３とが設けられている。収納領域８１，８２としては、間仕切壁６７の壁際に設けられた第１収納領域８１と、張出空間部７５に設けられた第２収納領域８２とがある。移動領域８３は、これら各収納領域８１，８２の間の領域となっている。
【００６１】
第１収納領域８１と移動領域８３との間、及び第２収納領域８２と移動領域８３との間には収納扉等の建具（仕切部材）が一切設けられていない。したがって、各収納領域８１，８２はいずれも移動領域８３に向けて開放された開放空間となっている。これにより、収納された衣類を収納領域８１，８２から取り出したり収納領域８１，８２に衣類を収納したりする際に、いちいち建具を開閉しなくても衣類の収納作業を行える。
【００６２】
図４及び図５（ａ）に示すように、第１収納領域８１は、間仕切壁６７の壁際において互いに対向する各間仕切壁４１（４１ｂ），４７の間に跨がるように形成されている。第１収納領域８１には、衣類等を収納可能な収納棚８５と、衣類を吊り下げるためのハンガーパイプ８６とが設けられている。収納棚８５は、第１収納領域８１における幅方向の略中央部に設けられている。収納棚８５は、上下方向に延びる縦長の棚となっており、対向する一対の側板８８と、それら各側板８８の間に架設された上下複数の棚板８９とを有している。これら各棚板８９上には衣服等を載せて収納することが可能となっている。なお、収納棚８５が「衣類を収納可能な収納部」に相当する。
【００６３】
また、収納棚８５において各側板８８は最上段の棚板８９よりも上方に延びており、それら各側板８８の上端部には枕を載せるための枕棚９１が設けられている。枕棚９１は、第１収納領域８１の幅方向全域に亘って延びる棚板であり、各間仕切壁４１，４７の間に架け渡されて設けられている。また、枕棚９１は、収納棚８５の天板部を構成している。
【００６４】
ハンガーパイプ８６は、対向する各間仕切壁４１，４７の間に架け渡されて設けられている。ハンガーパイプ８６は、収納棚８５の上端部に設けられた枕棚９１よりも若干低い位置に配置され、収納棚８５（詳しくは各側板８８）を貫通して延びている。ハンガーパイプ８６において収納棚８５を挟んだ両側部分が衣類をかけるハンガー９３を引っ掛け可能な引っ掛け部８６ａとなっている。したがって、第１収納領域８１において収納棚８５を挟んだ両側領域では、衣類をハンガー９３にかけた状態で収納することが可能となっている。なお、当該両側領域では、ハンガーパイプ８６よりも下方の領域が「衣類を収納可能な収納部」に相当する。
【００６５】
図４及び図５（ｂ）に示すように、第２収納領域８２には、衣類等を収納可能な収納棚９５が設けられている。収納棚９５は、上下に並んだ複数の棚板９６を有している。これらの棚板９６は、第１壁部４１ａの壁面に上下に延びる向きで取り付けられた一対の支持レール（図示略）により支持されている。棚板９６は、その横幅が第２収納領域８２（換言すると張出空間部７５）の幅よりも若干小さい幅とされている。これら各棚板９６上には、衣類を載せた状態で収納することが可能となっている。また、収納棚９５は、その高さ寸法が第１収納領域８１の収納棚８５よりも高くなっており、詳しくは最上段の棚板９６の高さ位置が枕棚９１よりも高い位置に配置されている。
【００６６】
ちなみに、収納棚９５と上述した第１収納領域８１の収納棚８５にはいずれも、収納扉が設けられていない。そのため、これらの収納棚８５，９５はいずれも移動領域８３に向けて開放された開放棚となっている。
【００６７】
ウォークインクローゼット２８の床部には床材９８が敷設されている。床材９８は、クッション性を有する素材により形成された矩形の軟質床材であり、ウォークインクローゼット２８の床部に複数敷き詰められている。これら各床材９８によりウォークインクローゼット２８の床面が形成されている。これにより、ウォークインクローゼット２８で床座して衣類をたたんだりする際には、その作業を快適に行うことができる。また、床材９８は、さらに耐水性を有して形成されている。そのため、浴室２５から出てウォークインクローゼット２８で衣類を着る際に、濡れた体でウォークインクローゼット２８に入っても、床材９８を腐食させる等の不都合が生じるのを抑制できる。
【００６８】
なお、床材９８は、必ずしも上述のようなものでなくてもよく、畳や絨毯、カーペット等その他の軟質床材であってもよい。また、床材９８をフローリング材等の硬質床材としてもよい。
【００６９】
ここで、本実施形態では、ウォークインクローゼット２８に自然光を取り込むための構成を有している。以下、かかる構成について説明する。
【００７０】
図３、図４及び図５（ｂ）に示すように、間仕切壁４１の第１壁部４１ａには、袋状空間部２３ａとウォークインクローゼット２８（詳しくは張出空間部７５）とを連通する窓部１０１が形成されている。窓部１０１は、第１壁部４１ａにおいて天井付近の高さ位置に配置されている。詳しくは、第１壁部４１ａは、その上端部が袋状空間部２３ａ（及びウォークインクローゼット２８）の天井面３９から下方に離間した位置に設定されており、その第１壁部４１ａの上端部と天井面３９との間に窓部１０１が形成されている。窓部１０１は、横長の矩形形状をなしており、その横幅が張出空間部７５の幅と同じとなっている。
【００７１】
窓部１０１は、その横幅が窓部３７の横幅よりも小さくなっており、詳しくは窓部３７の横幅の半分程度となっている。また、窓部１０１は、その上下高さ（上下幅）が窓部３７の上下高さよりも小さくなっており、詳しくは窓部３７の上下高さの半分よりも小さくなっている。より詳しくは、窓部１０１の上下高さは窓部３７の上下高さの１／４〜１／６程度となっている。したがって、窓部１０１は、その開口面積が窓部３７の開口面積よりも小さくなっており、詳しくは窓部３７の開口面積の半分（より詳しくは窓部３７の開口面積の１／４〜１／１６）よりも小さくなっている。
【００７２】
窓部１０１には、嵌め殺しの窓パネル１０２が嵌め込まれている。窓パネル１０２は、透明性を有する板材（例えばガラス板）により形成されており、採光性を有している。窓パネル１０２は、サッシ枠にはめ込まれた状態で第１壁部４１ａに取り付けられている。なお、窓部１０１が屋内窓部に相当する。
【００７３】
窓部１０１は、寝室２３の外壁３６に設けられた窓部３７よりも高い位置に配置されている。この場合、窓部１０１の下端部は窓部３７の上端部よりも高い位置に位置している。また、窓部１０１は、平面視で見た場合に、窓部３７と外壁直交方向Ｙに重複しない位置に配置されている。詳しくは、窓部１０１は、外壁幅方向Ｘにおける一方側（西側）の端部が、窓部３７における他方側（東側）の端部と同位置になるように配置されている。なお、かかる配置構成に代えて、窓部１０１を、平面視において、その少なくとも一部が窓部３７と外壁直交方向Ｙに重複するように配置してもよい。
【００７４】
また、窓部１０１は、その下端部が第２収納領域８２の収納棚９５（最上段の棚板９６）よりも高い位置に配置されている。さらに、窓部１０１は、その下端部が第１収納領域８１の収納棚８５及びハンガーパイプ８６よりも高い位置に配置されている。すなわち、窓部１０１は、移動領域８３を挟んで対向する収納棚８５及びハンガーパイプ８６よりも高い位置に配置されている。
【００７５】
上述の構成では、寝室２３詳しくは袋状空間部２３ａに窓部３７（ガラス戸３８）を通じて屋外から自然光（日光）が取り込まれると、その袋状空間部２３ａに取り込まれた自然光が窓部１０１（窓パネル１０２）を通じてウォークインクローゼット２８に取り込まれる。これにより、その自然光によりウォークインクローゼット２８を明るくすることができる。
【００７６】
ちなみに、本ウォークインクローゼット２８の周囲壁４１，４７，６９，５８ｂにはこの窓部１０１以外に（採光用の）窓部が設けられていない。したがって、ウォークインクローゼット２８をバルコニー３１と仕切る壁部５８ｂ及び仕切壁６９にも（採光用の）窓部が設けられていない。
【００７７】
以上、詳述した本実施形態の構成によれば、以下の優れた効果が得られる。
【００７８】
外壁３６には寝室２３への採光が可能な窓部３７を設け、間仕切壁４１には寝室２３に取り込まれた光をウォークインクローゼット２８に取り込み可能な窓部１０１を設けた。この場合、屋外からの自然光が２つの窓部３７，１０１を介してウォークインクローゼット２８に取り込まれるため、屋外からの自然光が直接ウォークインクローゼット２８に取り込まれる場合と比べて、収納された衣類が日焼けするのを抑制することができる。
【００７９】
窓部１０１を天井付近に設けたため、窓部３７を通じて（斜めに）寝室２３に射し込む自然光が窓部１０１を通じて直接ウォークインクローゼット２８に入り込みにくくなっている。そのため、衣類が日焼けするのをより確実に抑制することができる。
【００８０】
窓部１０１の下端部を、窓部１０１とウォークインクローゼット２８を挟んで対向する間仕切壁６７の壁際に設けた収納棚８５及びハンガーパイプ８６よりも高い位置に設定した。ここで、窓部１０１を天井付近に設けた構成であっても、西日等平行に近い角度で自然光が射し込むと、自然光が各窓部３７，１０１を介して直接（直射日光として）ウォークインクローゼット２８に入り込む可能性があるが、このような構成とすれば仮に自然光が平行に近い角度でウォークインクローゼット２８に直接射し込んだとしても、その直射日光が収納棚８５に収納された衣類やハンガーパイプ８６にかけられた衣類に当たるのを回避することができる。そのため、衣類が日焼けするのをより一層確実に抑制することができる。なお、かかる効果は、窓部３７を、その上端部が天井面３９と同じ高さ位置に設定されたものとしても得ることができる。
【００８１】
窓部１０１の下端部を窓部３７の上端部よりも高い位置に設定したため、これら各窓部３７，１０１を通じて日光が直接ウォークインクローゼット２８に入り込みにくい。そのため、衣類の日焼けをより確実に抑制することができる。
【００８２】
間仕切壁４１のうち寝室２３を挟んで外壁３６と対向する第１壁部４１ａに窓部１０１を設けたため、自然光を２つの窓部３７，１０１を介してウォークインクローゼット２８に取り込む構成にあって、自然光の取り込み量を確保し易く、ウォークインクローゼット２８において自然光による明るさを確保し易い。
【００８３】
ウォークインクローゼット２８の一部に外壁３６側に張り出した張出空間部７５を設け、その張出空間部７５を区画しかつ外壁３６と対向する第１壁部４１ａに窓部１０１を設けた。この場合、窓部１０１を通じてウォークインクローゼット２８に自然光が取り込まれる際、その光が幅狭の張出空間部７５を経由して取り込まれることになる。そのため、張出空間部７５の両側の壁面（詳しくは第２壁部４１ｂ及び仕切壁５８の壁面）で光が反射しながら取り込まれることになる。この場合、その反射光によりウォークインクローゼット２８を明るくする効果を得ることができる。
【００８４】
寝室２３の一部に外壁３６と第１壁部４１ａとの間に袋状に張り出した袋状空間部２３ａを設け、その袋状空間部２３ａに窓部３７を通じて自然光を取り込むようにした。袋状空間部２３ａでは、その取り込まれた自然光が周囲の壁（詳しくは第１壁部４１ａ、外壁３６及び仕切壁５８）に反射することで明るい空間をつくりだすことができる。そして、かかる袋状空間部２３ａから窓部１０１を通じてウォークインクローゼット２８に自然光を取り込むようにしたため、ウォークインクローゼット２８を自然光により明るくすることが可能となる。
【００８５】
上述したように、ウォークインクローゼット２８は洗濯物をたたむ等の作業を行うスペースとして利用することが可能となっているが、窓部１０１を通じて自然光をウォークインクローゼット２８に取り込み可能としたことで、自然光による明るさの下でかかる作業を快適に行うことができる。
【００８６】
また、ウォークインクローゼット２８は、着替えを行う着替えスペースとしても利用可能となっている。この点、窓部１０１が天井付近に設けられているため、寝室２３（袋状空間部２３ａ）側から窓部１０１を通じてウォークインクローゼット２８内を視認することが困難となっているため、ウォークインクローゼット２８が着替えスペースとして利用される構成にあって、プライバシ性を確保しながら自然光の取り込みを行うことができる。特に、上記の実施形態では、袋状空間部２３ａに壁付けのテーブル７７を設けたため、窓部１０１を通じたウォークインクローゼット２８内の視認が極めて困難となっており、その点でもプライバシ性が大いに確保されている。
【００８７】
ところで、夜間においてウォークインクローゼット２８を着替え等で使用する際には、ウォークインクローゼット２８を照明により明るくして使用することになる。この場合、その照明光を窓部１０１を通じて寝室２３（ひいては居室）側から視認することができるため、ウォークインクローゼット２８が使用中であることを寝室２３側から確認することができる。そのため、ウォークインクローゼット２８が着替え等で使用中であるにもかかわらず、出入口４２を介してウォークインクローゼット２８に他者が立ち入ってしまう不都合を回避することができる。
【００８８】
本発明は上記実施形態に限らず、例えば次のように実施されてもよい。
【００８９】
（１）上記実施形態では、窓部１０１を第１壁部４１ａの天井付近に設けたが、これに代えて、窓部１０１を第１壁部４１ａの床付近に設けてもよい。この場合、収納棚９５を窓部よりも高い位置に設置すればよい。また、窓部１０１を第１壁部４１ａの中間高さに設けてもよい。
【００９０】
上記実施形態では、窓部１０１の下端部を窓部３７の上端部よりも高い位置に設定したが、窓部１０１の下端部を窓部３７の上端部と同じか又はそれよりも低い位置に設定してもよい。また、上記実施形態では、窓部１０１の下端部を第１収納領域８１の収納棚８５及びハンガーパイプ８６よりも高い位置に設定したが、それら８５，８６よりも低い位置に設定してもよい。
【００９１】
（２）上記実施形態では、窓部１０１を間仕切壁４１において第１壁部４１ａに設けたが、これに代えて又は加えて第２壁部４１ｂに設けてもよい。その場合にも、窓部３７を通じて寝室２３に取り込まれる自然光を第２壁部４１ｂの窓部を通じてウォークインクローゼット２８に取り込むことが可能である。
【００９２】
また、窓部１０１は必ずしも寝室２３との間仕切壁４１に設ける必要はなく、例えば洗面室２４との間仕切壁４７に設けてもよい。洗面室２４には屋外から自然光を取り込み可能な窓部６２（図２参照）が設けられているため、この場合、その窓部６２（屋外窓部に相当）を通じて取り込まれた自然光を間仕切壁４７の窓部（屋内窓部に相当）を通じてウォークインクローゼット２８に取り込むことができる。なお、この場合、洗面室２４が隣接空間に相当する。
【００９３】
（３）上記実施形態では、ウォークインクローゼット２８を寝室２３からも洗面室２４からも出入り可能なウォークインスルー型のウォークインクローゼットとしたが、これに代えて、寝室２３からのみ出入り可能なウォークインクローゼットとしてもよい。また、ウォークインクローゼット２８への出入口として寝室２３側の出入口４２に代えて、廊下２９側に出入口を設けてもよい。
【００９４】
（４）二階部分１２の間取りは必ずしも上記実施形態の間取りに限らない。ウォークインクローゼット２８を有していれば間取りは任意である。また、一階部分１１にウォークインクローゼットが設けられている場合に、そのウォークインクローゼットに本発明の窓部を適用してもよい。
【符号の説明】
【００９５】
１０…建物、２３…隣接空間としての寝室、２３ａ…袋状空間部、２４…洗面室、２５…浴室、２８…ウォークインクローゼット、３１…物干しスペースとしてのバルコニー、３６…外壁、３７…屋外窓部としての窓部、４１…間仕切壁、４１ａ…対向壁部としての第１壁部、４８…第１出入口としての出入口、５６…第２出入口としての出入口、６７…窓対向壁部としての間仕切壁、７５…張出空間部、９８…軟質床材としての床材、１０１…屋内窓部としての窓部。
【図１】
0006496115.tif 000002
【図２】
0006496115.tif 000003
【図３】
0006496115.tif 000004
【図４】
0006496115.tif 000005
【図５】
0006496115.tif 000006